(57)【要約】【課題】防水性能を十分に確保しつつ接着性を向上して防水シートの撓みやしわなどの発生を防止することができる防水シートおよび防水シートを用いた床構造を提供する。【解決手段】防水性を有するシート状の基材２１の表面および裏面に繊維層２２ａ，２２ｂを設けたことを特徴とする。【選択図】図１
2009155994.tif 000002
【特許請求の範囲】
【請求項１】
防水性を有するシート状の基材の表面および裏面に繊維層を設けたことを特徴とする防水シート。
【請求項２】
請求項１に記載の防水シートを用いた防水床構造であって、
接着により床板を前記防水シートで被覆し、さらに該防水シートの上面に内装材を接着により固定して設けることを特徴とする防水シートを用いた防水床構造。
【請求項３】
前記防水シートは、前記床板に加えて該床板の周縁から立ち上がる壁板の下部内面を被覆することを特徴とする請求項２に記載の防水シートを用いた防水床構造。
【請求項４】
前記床板と該床板の周縁から立ち上がる壁板との接合部を、防水性を有したパッチ部材により内側から被覆し、このパッチ部材により被覆された前記床板の上面を前記防水シートで被覆することを特徴とする請求項２又は３に記載の防水シートを用いた防水床構造。
【請求項５】
前記パッチ部材は、前記床板の角部に形成される接合部を被覆する入隅用パッチと、前記床板の辺部に形成される接合部を被覆する中間部用パッチとで構成され、前記入隅用パッチは、前記床板に沿う下板部および隣接する前記壁板に沿う２枚の上板部が一体的に形成されてなり、前記中間部パッチは、前記床板に沿う下板部と壁板に沿う上板部とが一体的に形成されてなることを特徴とする請求項４に記載の防水シートを用いた防水床構造。
【請求項６】
前記パッチ部材と前記床板および壁板との隙間が防水テープで目張りされてなることを特徴とする請求項４又は５に記載の防水シートを用いた防水床構造。
【発明の詳細な説明】
【技術分野】
【０００１】
この発明は、防水シートおよび防水シートを用いた防水床構造に関するものである。
【背景技術】
【０００２】
洗面所や脱衣所などの水周りの床構造にあっては、近年ユニット化が進んでおり、樹脂により成形されたものが主流となりつつある（例えば、特許文献１参照）。しかし、このようなユニット化されたものは、規格品で寸法の制約があることから、規格外の洗面所や脱衣所を製作する場合には依然として木材を用いて製作される場合が多い。
このような木材を用いた床構造の場合、水濡れに対して脆弱であるため、通常は防水性を有したポリエチレンやＥＶＡなどからなる防水シートを被覆して、木材の水濡れを防止している。
【特許文献１】特開２００６−１３２１９７号公報
【発明の開示】
【発明が解決しようとする課題】
【０００３】
しかしながら、上述の防水シートおよび防水シートを用いた防水床構造では、オレフィン系の樹脂であるポリエチレンやＥＶＡなどからなる防水シートで木製の床板を被覆しているため、例えば、防水シートのズレを防止するために床板に接着剤を用いて防水シートを固定した場合、ポリエチレンやＥＶＡ（エチレン・ビニル・アセテート）などが難接着物質であることから、木材と防水シート、および、防水シートと内装材との間の十分な接着力が得られず、防水シートがずれて撓みやしわなどが生じてしまう虞がある。
【０００４】
そこで、この発明は、防水性能を十分に確保しつつ接着性を向上して防水シートの撓みやしわなどを防止することができる防水シートおよび防水シートを用いた床構造を提供するものである。
【課題を解決するための手段】
【０００５】
上記の課題を解決するために、請求項１に記載した防水シートは、防水性を有するシート状の基材（例えば、実施の形態における基材２１）の表面および裏面に繊維層（例えば、実施の形態における繊維層２２ａ，２２ｂ）を設けたことを特徴とする。
【０００６】
請求項２に記載した防水床構造は、請求項１に記載の防水シート（例えば、実施の形態における防水シート２０）を用いた防水床構造であって、接着により床板（例えば、実施の形態における床板２）を前記防水シートで被覆し、さらに該防水シートの上面に内装材（例えば、実施の形態における内装材２５）を接着により固定して設けることを特徴とする。
【０００７】
請求項３に記載した防水床構造は、請求項２に記載の防水床構造において、前記防水シートは、前記床板に加えて該床板の周縁から立ち上がる壁板（例えば、実施の形態における壁板７）の下部内面を被覆することを特徴とする。
【０００８】
請求項４に記載した防水床構造は、請求項２又は３に記載の防水床構造において、前記床板と該床板の周縁から立ち上がる壁板との接合部（例えば、実施の形態における接合部Ｓ）を、防水性を有したパッチ部材（例えば、実施の形態におけるパッチ部材Ｐ）により内側から被覆し、このパッチ部材により被覆された前記床板の上面を前記防水シートで被覆することを特徴とする。
【０００９】
請求項５に記載した防水床構造は、請求項４に記載の防水床構造において、前記パッチ部材が、前記床板の角部（例えば、実施の形態におけるコーナ部Ｃ）に形成される接合部を被覆する入隅用パッチ（例えば、実施の形態における入隅用パッチ部材１０）と、前記床板の辺部に形成される接合部を被覆する中間部用パッチ（例えば、実施の形態における中間部用パッチ部材１１）とで構成され、前記入隅用パッチは、前記床板に沿う下板部（例えば、実施の形態における下板部１３）および隣接する前記壁板に沿う２枚の上板部（例えば、実施の形態における上板部１４）が一体的に形成されてなり、前記中間部パッチは、前記床板に沿う下板部（例えば、実施の形態における下板部１５）と壁板に沿う上板部（例えば、実施の形態における上板部１６）とが一体的に形成されてなることを特徴とする。
【００１０】
請求項６に記載した防水床構造は、請求項４又は５に記載の防水床構造において、前記パッチ部材と前記床板および壁板との隙間が防水テープ（例えば、実施の形態における防水テープ１８）で目張りされてなることを特徴とする。
【発明の効果】
【００１１】
請求項１に記載した発明によれば、防水シートの表面および裏面に設けた繊維層に接着剤が染み込んで絡みつくため、接着剤が硬化した際に接着剤が繊維層から剥離するのを防止することができる。したがって、防水性を確保しつつ施工した防水シートが撓んだりしわが生じたりするのを防止することができる効果がある。
【００１２】
請求項２に記載した発明によれば、防水シートの裏面に設けた繊維層により防水シートと床板との接着力を向上させることができるとともに、防水シートの表面に設けた繊維層により防水シートと内装材との接着力を向上させることができるため、防水シートの撓みやしわの発生を防止するとともに、防水シートの撓みなどによる内装材への影響を抑制することができる効果がある。
【００１３】
請求項３に記載した発明によれば、請求項２の効果に加え、壁板の下部を防水シートにより防水しつつ、防水シートの裏面の繊維層により防水シートと壁板との接着力を向上させることができるため、壁板を被覆する防水シートの剥がれを防止することができる効果がある。
【００１４】
請求項４に記載した発明によれば、請求項２又は３の効果に加え、パッチ部材により床板と壁板との接合部から水が床下に入り込むのを防止することができるため、防水シートとパッチ部材とによる２重の防水構造となり信頼性の向上を図ることができる効果がある。
【００１５】
請求項５に記載した発明によれば、請求項５の効果に加え、床板に沿う下板部と２枚の壁板に沿う２枚の上板部とが一体的に形成されてなる入隅用パッチを床板の角部の接合部に配置し、さらに、床板に沿う下板部と壁板に沿う上板部とが一体的に形成されてなる中間部パッチを床板の辺部に形成される接合部に配置するだけでよいため、防水性能を向上しつつ作業工数を低減して作業者の負担を軽減することができる効果がある。
【００１６】
請求項６に記載した発明によれば、請求項４又は５の効果に加え、パッチ部材と床板および壁板との間を防水テープにより目張りすることで、パッチ部材と床板との隙間から床下に水が浸入するのを防止することができるため、防水シート、パッチ部材および防水テープによる３重の防水構造となり、したがって、更なる防水性能の向上を図ることができる効果がある。
【発明を実施するための最良の形態】
【００１７】
次に、この発明の実施形態を図面に基づいて説明する。
この実施形態は、この発明を洗面所や脱衣所など水周りの床構造に適用したものであって、床下に排水管や給水管などを配策する空間を確保するべく、例えば建物の下の地面やベタ基礎などの上に鋼製の束を介して床板を配設したいわゆる２重床構造となっている。
【００１８】
図１に示す２重床構造１は、床板２が所定間隔に配置された木根太３によって下方から支持され、この木根太３が、地面、ベタ基礎およびスラブなどに立設される鋼製やプラスチック製の複数の束４によりその両端部や長手方向中央部など所定位置で支持される。木根太３は、床板２を下方から支持する骨組みを構成するもので、支持重量に応じた太さの角材が適宜用いられる。ここで、木根太３と束４との接触部分には木製の合板５が挟まれ、また、束４の足部は地面、ベタ基礎およびスラブなどに接着により固定されている
【００１９】
図１、図２に示すように、木根太３には、床板２を構成する上合板２ａと下合板２ｂとが重ねられて釘などで木根太３に固定されている。この床板２を構成する下合板２ｂの厚さ（例えば１２〜１５ｍｍ）は、上合板２ａの厚さ（例えば、５．５ｍｍ程度）よりも相対的に厚く設定されている。
また、床板２は、その周縁から上方に向かって立ち上がる壁板７によって囲まれている。この壁板７は、合板等の板材で構成されており図示しない天井に至っている。
【００２０】
そして、上述した木根太３や床板２などの木材によって組み立てられた２重床には、防水加工が施される。まず、図３に示すように、床板２と壁板７との間の接合部Ｓは、ポリエチレンなどの防水性を有した薄型（例えば、０．５ｍｍ程度）の軟質材からなる入隅用パッチ部材１０と中間部用パッチ部材１１とで被覆される。
入隅用パッチ部材１０は、床板２のコーナ部Ｃの接合部Ｓを内側から防水するための部材であり、床板２と平行に形成され床板２の上面に当接する板状（例えば、１００ｍｍ角程度）の下板部１３と、この下板部１３の隣り合う２辺から上方に立ち上がり隣り合う２枚の壁板７と平行に形成され各壁板７の内面に当接する２枚の上板部１４（例えば、１００ｍｍ角程度）とが一体的に形成されてなる。
【００２１】
中間部用パッチ部材１１は、上述した床板２のコーナ部Ｃ同士を結ぶ中間部Ｔの接合部Ｓを内側から防水するためのものであり、床板２の辺に沿って長尺で所定幅（例えば、１００ｍｍ程度）を有した下板部１５と、この下板部１５の壁板７側から壁板７に沿って立ち上がり一定の高さ（例えば、１００ｍｍ程度）で形成された上板部１６とが一体的に形成されてなる。なお、上述した入隅用パッチ部材１０と中間部用パッチ部材１１とでパッチ部材Ｐが構成されている。
【００２２】
入隅用パッチ部材１０と中間部用パッチ部材１１とはその端部が若干重なった状態で接合部Ｓの内側に載置され、さらに、入隅用パッチ部材１０と床板２および壁板７との隙間が防水テープ１８により目張りされ（図示略）、同様に、中間部用パッチ部材１１と床板２および壁板７との隙間が防水テープ１８により目張りされている（図１参照）。
防水テープ１８は、防水性を有し片面に粘着材が塗布されたアクリル樹脂系やブチルゴム系などの粘着テープを用いることができ、十分な幅寸法を有するものを用いるのが好ましい。なお、上述した入隅用パッチ部材１０と中間部用パッチ部材１１とが重なる部分については、どちらが上になってもよい。
【００２３】
上述したパッチ部材Ｐに防水テープ１８が貼付された状態で、床板２の上面および壁板７の下部内面は、防水シート２０により被覆される。防水シート２０は、図４に示すように、防水性を有したシート状の基材２１および、この基材２１の表裏面にそれぞれ固定された繊維層２２ａ，２２ｂからなる。基材２１は、例えば、厚さ０．２ｍｍ程度のオレフィン系の樹脂であるＰＥ（ポリエチレン）、ＰＰ（ポリプロピレン）、ＰＥＴ、あるいはＥＶＡ等を用いるのが好ましく、繊維層２２ａ，２２ｂはオレフィン系やポリエステル系の不織布などを用いるのが好ましい。この繊維層２２ａ，２２ｂは、厚さ０．２ｍｍ程度が好適であり、溶着等によって基材２１に固定されている。そして、このように構成された防水シート２０が、防水性を有した木工用の接着剤などによって床板２の上面および壁板７の内面に固定される。なお、壁板７を被覆する領域は下部内面に限られず、壁板７全域に亘ってもよい。また、繊維層２２ａ，２２ｂは不織布に限られるものではなく、例えば、織物などであってもよい。なお、図１、図２では、図示都合上、接着剤を省略している。
【００２４】
さらに、防水シート２０の上面には、内装材２５が接着剤により固定される。内装材２５としては、接着剤により固定するユニット式のタイル等を用いることができる。この内装材２５と防水シート２０とを接着する接着剤は、内装材２５の接着に適したものを用いるのが好ましい。図１，２では、内装材２５として予め複数のタイル２７をモルタル２８で固めて形成したユニット式のタイルを用いた一例を示しており、このユニット式のタイルは壁板７を覆う防水シート２０よりも若干上方の壁板７まで覆っている。なお、接着作業を行う際には、防水シート２０の繊維層２２ａ，２２ｂ側に接着剤を塗布しても良いし、また、床板２、壁板７および内装材２５側に塗布するようにしても良い。
【００２５】
ところで、床板２を構成する上合板２ａおよび下合板２ｂには、コーナ部Ｃ近傍に貫通孔２９（例えば、φ８０程度）が形成され、この貫通孔２９に向かって所定の水勾配が設定されている。
【００２６】
図５に示すように、貫通孔２９は、床下に配置された排水配管４１の開口部４１ａの鉛直上方に形成されており、貫通孔２９の周縁の床板２の上面には、上述した入隅用パッチ部材１０および中間部用パッチ部材１１と同様に防水性を有した貫通孔用パッチ部材３０が載置される。図５，６に示すように、貫通孔用パッチ部材３０は、貫通孔２９よりも十分に大きく（例えば、２００ｍｍ角程度）、ポリエチレン等で薄型（例えば、０．５ｍｍ程度）に成型された軟質材の主板部３１を備え、その中心部分には、下方に向かって漸次縮径する縮径部３２が形成されている。
【００２７】
縮径部３２の下端部の内径は、詳細を後述する排水目皿４２を構成する本体枠部４２ａの小径部４３よりも若干小さく形成されており、上方から排水目皿４２の小径部４３を押し込むことで、その内径が貫通孔用パッチ部材３０の伸縮性により若干拡大され、縮径部３２の内周面が小径部４３の外周面を締付けて密着する状態となり、これにより、貫通孔用パッチ部材３０と排水目皿４２との間の水密構造をなす。なお、図５では、排水配管４１がスラブ４０を貫通する場合を示しているが、このような構成に限られるものではない。
【００２８】
貫通孔用パッチ部材３０の主板部３１が床板２の上に載置されると、縮径部３２は貫通孔２９内を臨む位置に配置される。ここで、この貫通用パッチ部材３０は、上述した入隅用パッチ部材１０や中間部用パッチ部材１１と同一の工程で施工され、この施工後に防水シート２０および内装材２５が接着剤によって順次取り付けられることとなる。ここで、貫通孔用パッチ部材３０の位置決めを行うために接着剤等を用いて仮止めを行うのが好ましい。
【００２９】
防水シート２０および内装材２５には、床板２の貫通孔２９が配置される鉛直方向上方に、各々貫通孔２９よりも大径な貫通孔５０，５１が形成されている。ここで、防水シート２０および内装材２５を床板２に取り付ける際に貫通孔２９、貫通孔５０，５１の中心位置を一致させることで、貫通孔２９に排水目皿４２の大径部４６が挿入可能となる。
【００３０】
排水目皿４２は、塩化ビニル等の樹脂やステンレス等の金属で成型され、その下部に貫通孔２９よりも小径に形成されて貫通孔２９を貫通する小径部４３が形成され、その上部には有段成型されて貫通孔５０，５１の内径と略同一外径に形成された大径部４４が形成されている。
【００３１】
小径部４３は、その外周面と貫通孔２９の内周面との間に上述した貫通孔用パッチ部材３０の縮径部３２が入り込むための所定の隙間ｄが確保できる程度に、その外径が貫通孔２９の内径よりも小径に形成されている。また、排水目皿４２が取り付けられた状態で、小径部４３の下端部４３ａは、その外周面と排水配管４１の内周面との間に若干の隙間を形成しつつ排水配管４１の上部内側に挿入されるようになっている。
【００３２】
一方、大径部４４は、その底壁４５が主板部３１上に載置されるとともに、その周壁部４６が、防水シート２０と内装材２５との貫通孔５０，５１を貫通するように配置される。大径部４４の上縁部分には径方向外側に向かって突出するつば部４７が形成されており、内装材２５の貫通孔５０の上部開口部５２の周縁に沿って形成された凹状の支持部４８に支持されている。そして、この支持部４８により、つば部４７の上面と内装材２５の上面とが面一な状態でつば部４７が支持部４８に支持される。
【００３３】
また、大径部４４の内側には、排水目皿４２を構成するストレーナ４２ｂが着脱自在に取り付けられている。このストレーナ４２ｂは、複数の長孔５３が形成された略円形の上壁部５４と、上壁部５４の周縁から下方に延びて上壁部５４を支持する円筒部５５とからなる。なお、図示都合上、図５では上合板２ａおよび下合板２ｂを併せて床板２とし、また貫通孔用パッチ部材３０と床板２との隙間を目張りする防水テープ１８と、防水シート２０および床板２を接着する接着剤と、防水シート２０および内装材２５を接着する接着剤とを省略している。
【００３４】
すなわち、内装材２５上に流下した水は、床板２の水勾配により貫通孔２９側に向かい、ストレーナ４２ｂの長孔５３を介して排水目皿４２の内部に入り込み排水配管４１へと至る。この際、水が例えば、排水目皿４２の周縁等から浸入しても、防水シート２０により床下への浸入が防止されるとともに、仮に防水シート２０で水の浸入を防げなかった場合であっても、貫通孔用パッチ部材３０と排水目皿４２が密着しているため、防水シート２０で防げなかった水が床下へ流下するのを防止することができる。
【００３５】
したがって、上述した実施形態によれば、防水シート２０の表面および裏面に設けた繊維層２２ａ，２２ｂに接着剤が染み込んで絡みつくため、防水シート２０の床板２、壁板７に接着する側にこれら床板２、壁板７に適した接着剤を用いるとともに、防水シート２０の内装材２５を接着する側に、内装材２５に適した接着剤を用いることで、接着剤が硬化した際に接着剤が繊維層２２ａ，２２ｂから剥離して防水シート２０の接着不良を防止することができる。したがって、防水性を確保しつつ施工した防水シート２０が撓んだりしわが生じたりするのを防止することができる。
【００３６】
また、防水シート２０の裏面に設けた繊維層２２ａにより防水シート２０と床板２との接着力を向上させつつ、防水シート２０の表面に設けた繊維層２２ｂにより防水シート２０と内装材２５との接着力を向上させることができるため、防水シート２０の撓みやしわの発生を防止するとともに、防水シート２０の撓みなどによる内装材２５への影響を抑制することができる。
【００３７】
さらに、壁板７の下部を防水シート２０により防水しつつ、防水シート２０の裏面の繊維層２２ａにより防水シート２０と壁板７との接着力を向上させることができるため、壁板７を被覆している防水シート２０の剥がれを防止することができる。
【００３８】
そして、パッチ部材Ｐにより床板２と壁板７との接合部Ｓから水が床下に入り込むのを防止することができるため、防水シート２０とパッチ部材Ｐとによる２重の防水構造となり信頼性の向上を図ることができる。
【００３９】
さらに、床板２に沿う下板部１３と２枚の壁板７に沿う２枚の上板部１４とが一体的に形成されてなる入隅用パッチ部材１０を床板２のコーナ部Ｃの接合部Ｓに配置し、さらに、床板２に沿う下板部１５と壁板７に沿う上板部１６とが一体的に形成されてなる中間部用パッチ部材１１を中間部Ｔに形成される接合部Ｓに配置するだけでよいため、防水性能を向上しつつ作業工数を低減して作業者の負担を軽減することができる。
【００４０】
また、パッチ部材Ｐと床板２および壁板７との間を防水テープ１８により目張りすることで、パッチ部材Ｐと床板２との隙間から床下に水が浸入するのを防止することができるため、防水シート２０、パッチ部材Ｐおよび防水テープ１８による３重の防水構造となり、その結果、更なる防水性能の向上を図ることができる。
さらに、木造の２重床構造において、とりわけ床下への水の浸入を確実に防止することができる。
【００４１】
［他の態様］
上述した貫通孔用パッチ部材３０の他の態様として、例えば、図７に示す貫通孔用パッチ部材３０ａを用いても良い。この貫通孔用パッチ部材３０ａは、主板部３１の中心部分に貫通孔２９の孔径と略同一に形成された円形部３２ａを備えている。この円形部３２ａの内側には、貫通孔３３（例えば、φ４０程度）が形成された伸縮部３４を有している。また、これら円形部３２ａの内周と伸縮部３４との間には、伸縮部３４を主板部３１に一体的に成型するための中間部３５が設けられている。ここで、伸縮部３４は、防水性および伸縮性を有したエラストマー樹脂等で形成されているため、貫通孔３３の内径よりも大きく、且つ、主板部３１の円形部３２ａの内径以下の排水目皿４２が貫通するのを許容することができる。この際、排水目皿４２の外周面に伸縮部３４の内周面が密着するので、排水目皿４２の外周面と貫通孔用パッチ部材３０ａとの間に水密構造を構成することができる。このように貫通孔用パッチ部材３０ａを構成することにより、排水目皿４２の小径部４３の外径の選択自由度が向上し、その結果、様々な外径の排水配管４１に対応可能となる。
【００４２】
また、図６に示す貫通孔用パッチ部材３０を、例えば、図８に示すように用いてもよい。この図８に示す他の態様を、図５に示す２重床構造と同一部分に同一符号を付して説明する。
図８に示す２重床構造の場合、スラブ４０を立ち上がる排水配管４１の上端の位置に合わせて床板２の上面位置を設定している。貫通孔用パッチ部材３０は、その主板部３１が、貫通孔２９周縁の床板２の上面に載置され、貫通孔用パッチ部材３０の縮径部３２が排水配管４１の内部を臨んでいる。ここで、床板２の貫通孔２９は、排水配管４１とのクリアランスを確保すべくその内径が排水配管４１の外径よりも若干大きく形成されており、貫通孔２９の内周面と排水配管４１の外周面との間には隙間が生じている。また、貫通孔用パッチ部材３０は、縮径部３２の下端部の内径が排水配管４１よりもやや小さく設定されている。
【００４３】
貫通孔用パッチ部材３０の上には、排水目皿６０が取り付けられている。排水配管４１が床板２の位置まで立ち上がっていることから、この排水目皿６０は、上述した排水目皿４２の小径部４３を省略した薄型で底壁４５を備えた略筒状に形成された枠体６１を備えたものとなっている。そして、この枠体６１の内側には、長孔５３が形成された上壁部５４とその周縁から下方に延びる周壁部５５とから構成されるストレーナ４２ｂが着脱自在に設けられる。ここで、貫通孔用パッチ部材３０が取り付けられた床板２の上には、防水シート２０及び内装材２５が上述した実施形態と同様に順次接着剤により固定される。なお、内装材２５と枠体５６との間をコーキング材等で防水処理してもよい。
このように構成することで、貫通孔用パッチ部材３０が床板２の上面から排水配管４１の内部を臨む位置に至り、排水配管４１および床板２の上面との間に挟持されて水密構造を構成する。そのため、排水目皿６０の周囲から水が浸入したとしても、水が床板２に接触するのを防止できるとともに、排水配管４１と床板２との間から水が床下に浸入するのを防止することができる。
【００４４】
なお、この発明は上述した実施形態に限られるものではなく、例えば、２重床構造以外の床構造に適用しても良い。
さらに、上記実施形態では木材を用いた床構造について説明したが、この発明は、防水性が要求される材料を用いた床構造に好適である。また、床板２に合板を用いた場合について説明したが、合板に限られるものではない。
【００４５】
そして、上述の実施形態では、防水シート２０が床板２上面から壁板７内面を連続して被覆している場合について説明したが、床板２上面と壁板７内面とで分割して被覆するようにしても良い。また、パッチ部材の上から防水テープで目張りしたが、パッチ部材と床板２および壁板７とを防水性を有した両面テープで固定するようにしてもよい。
【図面の簡単な説明】
【００４６】
【図１】本発明の実施形態における２重床構造を示す部分断面斜視図である。
【図２】本発明の実施形態における図１のＡ−Ａ線に沿う断面図である。
【図３】本発明の実施形態におけるパッチ部材の施工例を示す斜視図である。
【図４】本発明の実施形態における防水シートの断面図である。
【図５】本発明の実施形態における図１のＢ−Ｂ線に沿う断面図である。
【図６】本発明の実施形態における貫通孔用パッチ部材の斜視図である。
【図７】貫通孔用パッチ部材の他の態様を示す斜視図である。
【図８】図６に示す貫通孔用パッチ部材を用いた２重床構造の他の態様を示す断面図である。
【符号の説明】
【００４７】
２  床板
７  壁板
１０  入隅用パッチ部材（入隅用パッチ）
１１  中間部用パッチ部材（中間部用パッチ）
１３  下板部
１４  上板部
１５  下板部
１６  上板部
２０  防水シート
２１  基材
２２ａ，２２ｂ  繊維層
２５  内装材
Ｓ  接合部
Ｐ  パッチ部材
Ｃ  コーナ部（角部）
【図１】
2009155994.tif 000003
【図２】
2009155994.tif 000004
【図３】
2009155994.tif 000005
【図４】
2009155994.tif 000006
【図５】
2009155994.tif 000007
【図６】
2009155994.tif 000008
【図７】
2009155994.tif 000009
【図８】
2009155994.tif 000010